(57)【要約】【課題】薬液を無駄なく揮散させることができる揮散装置を提供する。【解決手段】本発明の揮散装置の一態様は、薬液を収容した容器２と、容器内に位置した下端４１ａおよび容器の上部に開口した上端４１ｂを有する筒状体４１と、筒状体の下端を塞ぐ蓋体４２と、容器内の薬液を吸い上げて揮散させる吸液部材６と、吸液部材を保持して筒状体の内部に配置され、蓋体を押して筒状体の下端から少なくとも部分的に分離させる押込み部材８と、を有する。押込み部材８によって蓋体４２を筒状体４１の下端４１ａから少なくとも部分的に分離させた状態で、吸液部材６の下端６１ａが蓋体４２を押す押込み部材８の下端８１ａより突出して容器２の底に接触する。【選択図】図７
2018110616.tif 000002
【特許請求の範囲】
【請求項１】
薬液を収容した容器と、
前記容器内に位置した下端および前記容器の上部に開口した上端を有する筒状体と、
前記筒状体の下端を塞ぐ蓋体と、
前記容器内の薬液を吸い上げて揮散させる吸液部材と、
前記吸液部材を保持して前記筒状体の内部に配置され、前記蓋体を押して前記筒状体の下端から少なくとも部分的に分離させる押込み部材と、を有し、
前記押込み部材によって前記蓋体を開けた使用状態で、前記吸液部材の下端が前記押込み部材の下端より突出して前記容器の底に接触することを特徴とする揮散装置。
【請求項２】
前記蓋体は、前記筒状体の下端から下方に膨出した膨出部を有し、
前記蓋体を開く前の未使用状態で、前記吸液部材の前記下端が前記押込み部材の下端より突出して前記膨出部の内面に当接していることを特徴とする請求項１に記載の揮散装置。
【請求項３】
前記押込み部材は、前記蓋体の一部を押して前記筒状体の下端から少なくとも部分的に分離させる破封爪、および開いた蓋体を開状態に係止する蓋係止部をその下端に備えていることを特徴とする請求項１または請求項２に記載の揮散装置。
【請求項４】
前記押込み部材は、前記吸液部材を自重により落下可能に保持しており、
前記蓋体を開く前の未使用状態において、前記吸液部材の下端が前記蓋体の内面に当接して支えられていることを特徴とする請求項１に記載の揮散装置。
【請求項５】
前記吸液部材は、前記蓋体を開けたとき、自重により落下して、その下端が前記容器の底に当接することを特徴とする請求項４に記載の揮散装置。
【発明の詳細な説明】
【技術分野】
【０００１】
本発明は、例えば、芳香成分や消臭成分を含む薬液を揮散させるための揮散装置に関する。
【背景技術】
【０００２】
芳香成分や消臭成分を含む薬液を揮散させるための揮散装置は、未使用の状態で薬液の揮散が開始してしまう不具合を防止するため、薬液を収容した容器を密閉した状態で出荷される。そして、揮散装置の使用を開始する際に、ユーザーが容器を開封して吸液部材を部分的に薬液に浸漬させる。これにより、吸液部材を介して薬液が吸い上げられて揮散が開始される。
【０００３】
一例を挙げると、揮散装置は、薬液を収容した容器、および容器の開口を塞ぐ遮蔽部材を有する。遮蔽部材は、有底筒状に形成され、底部を薬液に没入させた状態で容器の開口に取り付けられる。遮蔽部材の中には、押込み部材が挿入配置される。押込み部材は、その先端に遮蔽部材の底部を突き破るための突起を有する。また、押込み部材は、吸液部材を保持しており、吸液部材に薬液を浸透させるための孔を先端に有する。
【０００４】
この揮散装置を使用する場合、ユーザーは、吸液部材を保持した押込み部材を遮蔽部材の中に押し込んで遮蔽部材の底部を破壊する。これにより、遮蔽部材の内部に薬液が流入し、押込み部材の孔を介して吸液部材に薬液が染み込む。薬液は、吸液部材よって吸い上げられて揮散される。
【先行技術文献】
【特許文献】
【０００５】
【特許文献１】特開２００４−２３０１４６号公報
【発明の概要】
【発明が解決しようとする課題】
【０００６】
上述した従来の揮散装置は、押込み部材の先端に設けた突起によって遮蔽部材の底部を破壊するため、仮に突起を容器の底に当接させるまで押込み部材を押し込んだとしても、少なくとも突起の高さ分だけ吸液部材と容器の底が離間することになる。言い換えると、上述した従来の揮散装置では、押込み部材の先端に突起を有するため、押込み部材によって保持した吸液部材を容器の底に接触させることができない。このため、上述した従来の揮散装置では、容器内の全ての薬液を吸液部材で吸い上げることができず、容器の底に残った薬液が無駄になる。
【０００７】
本発明は、上記の点に鑑みてなされたもので、薬液を無駄なく揮散させることができる揮散装置を提供することを目的とする。
【課題を解決するための手段】
【０００８】
本発明の揮散装置の一態様は、薬液を収容した容器と、容器内に位置した下端および容器の上部に開口した上端を有する筒状体と、筒状体の下端を塞ぐ蓋体と、容器内の薬液を吸い上げて揮散させる吸液部材と、吸液部材を保持して筒状体の内部に配置され、蓋体を押して筒状体の下端から少なくとも部分的に分離させる押込み部材と、を有する。押込み部材によって蓋体を開けた状態で、吸液部材の下端が押込み部材の下端より突出して容器の底に接触する。
【発明の効果】
【０００９】
本発明の一態様によれば、薬液を無駄なく揮散させることができる。
【図面の簡単な説明】
【００１０】
【図１】図１は、第１の実施形態に係る揮散装置を示す外観図である。
【図２】図２は、図１の揮散装置の容器を示す斜視図である。
【図３】図３は、図１の揮散装置の中栓を示す斜視図である。
【図４】図４は、図３の中栓を中心線に沿って切断した縦断面図である。
【図５】図５は、図１の揮散装置の吸液部材を示す斜視図である。
【図６】図６は、図１の揮散装置の押込み部材を示す斜視図である。
【図７】図７は、図１の揮散装置の未使用状態における縦断面図である。
【図８】図８は、図１の揮散装置の使用状態における縦断面図である。
【図９】図９は、図１の揮散装置の使用状態における別の縦断面図である。
【図１０】図１０は、第２の実施形態に係る揮散装置の未使用状態における縦断面図である。
【図１１】図１１は、図１０の揮散装置の使用状態における縦断面図である。
【図１２】図１２は、図１の揮散装置の変形例を示す縦断面図である。
【発明を実施するための形態】
【００１１】
以下、本発明の実施形態について図面を参照して説明する。  
図１は、第１の実施形態に係る揮散装置１０の外観図である。揮散装置１０は、容器２（図２）、中栓４（図３、図４）、吸液部材６（図５）、押込み部材８（図６）、およびカバー９（図１）を有する。容器２、中栓４、押込み部材８、およびカバー９は、樹脂により形成されており、吸液部材６は、不織布により形成されている。揮散装置１０は、これら複数の部材２、４、６、８、９を組み合わせて構成されている。
【００１２】
図２に示すように、容器２は、芳香成分や消臭成分を含む薬液（図示せず）を収容する有底の略円筒形の胴部２１、この胴部２１の上部に突設した胴部２１より小径の略円筒形の首部２２、および胴部２１の上端から首部２２の下端に向けて上方にわずかに傾斜して連続した略円環状の肩部２３を一体に有する、いわゆるボトル容器である。胴部２１は、底部に向けて円筒をなだらかに収束させた外形を有し、背面側を偏平につぶした形状を有する。首部２２の上端２２ａの内側には円形の開口２４が形成され、首部２２の外周には中栓４を固定するための円環状の凸条２５が一体に突設されている。凸条２５は必ずしも円環状である必要はなく、例えばネジ山に置き換えてもよい。
【００１３】
胴部２１の上端と肩部２３の外周の間の外面側には、後述するカバー９の下端縁９１を嵌合するための略円環状の凸部（図示せず）および略円環状の段部２６が設けられている。この段部２６にカバー９の下端縁９１を嵌合して容器２にカバー９を嵌め合わせることにより、図１に示すように、揮散装置１０の外面が全体的に段差の無い滑らかな面になる。カバー９は、下端縁９１から上端開口部９２に向けてなだらかに収束した外形を有する筒状に形成され、胴部２１と同様に、背面側を偏平につぶした形状を有する。また、カバー９は、その前面側および背面側のそれぞれに複数の揮散孔９３を有する。揮散孔９３の形状や大きさは任意に設定可能である。
【００１４】
図３は中栓４の外観図であり、図４は中栓４を中心線に沿って二等分した縦断面図である。図３および図４に示すように、中栓４は、略円筒形の筒状体４１、この筒状体４１の軸方向の下端４１ａを密閉状態で塞いだ略半球状の蓋体４２、および筒状体４１の上端４１ｂに連続して外側に折り返した円環状の折返し部４３を一体に有する。筒状体４１は、容器２の開口２４の内径よりわずかに小さな外径を有し、その下端４１ａを容器２内に位置せしめるように開口２４から挿通配置される。このため、蓋体４２は、容器２内に収容した薬液に没入される位置に配置される。
【００１５】
筒状体４１の下端４１ａ近くの内面側には、内側に向けてわずかに膨出した円環状の肉厚部４４（図４参照）が設けられている。肉厚部４４は、筒状体４１の下端４１ａに向けて筒状体４１の内径を徐々に小さくするようになだらかに膨らんでいる。つまり、筒状体４１の内径は、肉厚部４４の部分で下端４１ａに向けて徐々に縮径されている。肉厚部４４を設けることにより、筒状体４１の下端近くにおける機械強度を増している。これにより、後述するように蓋体４２を筒状体４１から分離する際に、筒状体４１の下端４１ａ近くに大きな力が作用した場合に、筒状体４１が弾性変形して伸びてしまう不具合を抑制することができ、蓋体４２の分離を確実にすることができる。またさらに、筒状体４１のうち肉厚部４４の上方にあたる部分の内径を、肉厚部４４に向けて徐々に小さくさせてもよい。この場合、後述する揮散装置１０の組み立て時に押込み筒８１を容器２に固定した中栓４の筒状体４１に挿通しやすくすることができる。
【００１６】
蓋体４２は、筒状体４１の下端４１ａの肉厚部４４のさらに内側に連続して、筒状体４１と一体に設けられている。蓋体４２の外周には、円環状のフランジ部４５が設けられ、このフランジ部４５を介して蓋体４２が筒状体４１の下端４１ａに接続している。フランジ部４５と肉厚部４４の内面との間には、蓋体４２を分離するための円環状の肉薄部４６が設けられている。肉薄部４６は、筒状体４１の下端側から円環状の溝を設けることによって形成されており、蓋体４２の肉厚より薄く形成されている。蓋体４２は、フランジ部４５の内側から下方に略半球状に膨出した膨出部４７を有する。この膨出部４７の内側には、後述する吸液部材６の吸い上げ部分６１の下端６１ａが挿入配置される。
【００１７】
本実施形態では、蓋体４２のフランジ部４５と筒状体４１の肉厚部４４の間に筒状体４１の下端側から円環状の溝を設けて肉薄部４６を形成したが、筒状体４１の内側から蓋体４２のフランジ部４５に円環状の溝を設けて肉薄部４６を形成してもよい。また、溝は必ずしも円環状である必要はなく、不連続であってもよく、その深さも均一である必要はない。いずれにしても、未使用状態において蓋体４２のフランジ部４５と筒状体４１の下端４１ａとの間が密閉されていればよく、後述するようにフランジ部４５を押込み部材８の下端８１ａによって押圧したときに蓋体４２を破封して開くことができるような構造の肉薄部４６であればよい。
【００１８】
折返し部４３は、筒状体４１より一回り大きい略円筒状の外形を有し、筒状体４１の上端４１ｂを外側に１８０°折り返して連続した断面略Ｕ字形に形成されている。折返し部４３が筒状体４１の外面に対向する内面４３ａには、上述した容器２の首部２２に設けた凸条２５を嵌合する円環溝状の嵌合凹部４８が形成されている。凸条２５をネジ山に置き換えた場合、嵌合凹部４８の代りにネジ溝を設ければよい。折返し部４３の内径は、容器２の首部２２の外径と略同じかわずかに大きい。首部２２の凸条２５と折返し部４３の嵌合凹部４８は逆に設けてもよい。折返し部４３の外面４３ｂは、下方に向けて僅かに外側に拡がる方向に傾斜している。
【００１９】
嵌合凹部４８より上方における筒状体４１と折返し部４３との間の隙間４９は、容器２の首部２２の肉厚と略同じ幅を有する。また、隙間４９の深さは、嵌合凹部４８に凸条２５を嵌合した状態で首部２２の上端２２ａが折返し部４３の内面に当接する深さに設定されている。よって、中栓４の筒状体４１を容器２の開口２４から挿通して蓋体４２を容器２内に配置し、折返し部４３の嵌合凹部４８に首部２２の凸条２５を嵌合せしめると、首部２２の上端２２ａが筒状体４１と折返し部４３との間の隙間４９に嵌り、開口２４が塞がれて容器が密閉されることになる。
【００２０】
図５に示すように、吸液部材６は、容器２内の薬液に浸漬される略角柱状の吸い上げ部分６１、およびこの吸い上げ部分６１の上端６１ｂに一体に連続した略矩形板状の揮散部分６２を有する。吸液部材６は、例えば、均一な厚みを有する不織布を形状加工して形成されている。吸い上げ部分６１の下端６１ａは、中栓４の蓋体４２の内面形状（半球面形状）に合わせて面取りされている。吸液部材６の形状は任意に変更可能であり、後述する押込み部材８によって保持可能な形状であればよい。例えば、吸い上げ部分６１と揮散部分６２を別体にすることもでき、両者の厚みを異ならせることもでき、使用状態に配置したときに両者が少なくとも接触する構造であればよい。
【００２１】
図６に示すように、押込み部材８は、吸液部材６の吸い上げ部分６１を挿通配置する略円筒形の押込み筒８１、吸液部材６の揮散部分６２を収容配置する収容部８２、および軸方向の上端に設けた略円板状の押圧部８３を一体に有する。つまり、押込み部材８は、押込み筒８１内に吸液部材６の吸い上げ部分６１を挿通配置し且つ収容部８２内に吸液部材６の揮散部分６２を収容配置することで吸液部材６を保持することができる構造を有する。
【００２２】
そして、押込み部材８は、吸液部材６を保持した状態で、押込み筒８１を中栓４の筒状体４１内に挿通し、且つ押圧部８３をカバー９の上端開口部９２（図１参照）に嵌め込むことで取り付けられる。つまり、押込み筒８１の外径は、中栓４の筒状体４１の内径よりわずかに小さく設計されており、押圧部８３の外形は、カバー９の上端開口部９２内に挿通可能な形状にされている。押込み部材８の取り付け構造および取り付け方法については後述する。
【００２３】
収容部８２から離間した押込み筒８１の下端８１ａには、下方に向けて尖った形状の破封爪８４が設けられている。見方を変えると、破封爪８４の先端が押込み筒８１の下端８１ａとして機能する。つまり、押込み筒８１を中栓４の筒状体４１内に押し込んだとき、破封爪８４の先端により蓋体４２のフランジ部４５が部分的に押圧されて肉薄部４６に沿って蓋体４２が押し開かれるようになっている。本実施形態において、破封爪８４は、押込み筒８１の先端を斜めに途中まで切断した形状を有する。破封爪８４を押込み筒８１の全周に連続して設けないことで、蓋体４２を完全に分離することがなく、蓋体４２の一部が筒状体４１の下端４１ａにつながった状態にすることができる。
【００２４】
押込み筒８１の下端であって破封爪８４の周方向の反対側には、押込み筒８１を中栓４の筒状体４１内に押し込んで蓋体４２を開けた後、筒状体４１に一部がつながった状態の蓋体４２を図９に示す開状態に係止するための蓋係止部８５が設けられている。蓋係止部８５の突出長さは破封爪８４の突出長さより短い。このため、押込み筒８１を筒状体４１内に押し込んだとき、破封爪８４の先端が蓋体４２のフランジ部４５に先に突き当たり、蓋体４２が筒状体４１の下端４１ａから部分的に分離され、この分離開始部位の周方向の反対側で蓋係止部８５によって蓋体４２が開状態に係止される。破封爪８４と蓋係止部８５の間には、２つの切欠き部８６が設けられている。
【００２５】
収容部８２は、吸液部材６の揮散部分６２の形状に合った矩形の凹所７１を有する。凹所７１は、底壁部７２、背面支持部７３、一対の側壁部７４、７４、および押圧部８３によって区画されている。つまり、凹所７１の前面は開放しており、前面側から吸液部材６を取り付け可能となっている。底壁部７２には、押込み筒８１の上端開口に連通した円形の開口部７２ａが形成されている。
【００２６】
背面支持部７３は、両側の側壁部７４、７４との間にスリット７５、７５を介して設けた半円筒部分７６を含む。スリット７５、７５は、揮散孔として機能する。半円筒部分７６の中央には、上下に延びた揮散孔７６ａが設けられている。凹所７１には、半円筒部分７６の下部と開口部７２ａの縁をつないで傾斜したガイド面７１ａが設けられている。半円筒部分７６の揮散孔７６ａの両側には、上下に延びた２本のリブ７７、７７が一体に突設されている。一対の側壁部７４、７４は、断面Ｌ字状に折り曲げた形状を有し、この折り曲げ部７４ａ（図６では一方のみを図示）が背面支持部７３の一部として機能する。
【００２７】
吸液部材６を押込み部材８に装着する場合、まず、凹所７１の前面側から吸液部材６の吸い上げ部分６１の下端６１ａを押込み部材８の開口部７２ａに挿通する。このとき、ガイド面７１ａによって下端６１ａが開口部７２ａに案内され、吸い上げ部分６１が押込み筒８１内に容易に挿通配置される。そして、吸い上げ部分６１を押込み筒８１内に挿通配置した後、吸液部材６の揮散部分６２を収容部８２の凹所７１内に収容配置する。この状態で、揮散部分６２の前面側は開放され、揮散部分６２の背面は背面支持部７３によって支えられる。つまり、揮散部分６２ｂの背面が、半円筒部分７６の縁部７６ｂ、７６ｂ、および側壁部７４、７４の折り曲げ部７４ａ、７４ａによって支えられる。リブ７７、７７の端部７７ａ、７７ａは、半円筒部分７６の縁部７６ｂ、７６ｂより凹所７１から離れた位置にあり、半円筒部分７６の縁部７６ｂ、７６ｂとリブ７７、７７の間の空間が揮散部分６２によって塞がれないようになっている。
【００２８】
また、この状態で、吸液部材６の吸い上げ部分６１の下端６１ａが、押込み筒８１の下端８１ａ、すなわち破封爪８４の先端より下方に突出している。このように、破封爪８４の先端より突出した吸い上げ部分６１の下端６１ａは、吸液部材６を保持した状態の押込み部材８の押込み筒８１を中栓４の筒状体４１内に挿通配置した図７に示す状態（蓋体４２を破封しない状態）で、蓋体４２の内側に配置される。言い換えると、蓋体４２は、筒状体４１の下端４１ａから突出する吸液部材６の吸い上げ部分６１の下端６１ａを収容するため、下方に突出した半球形状に形成されている。
【００２９】
収容部８２の側壁部７４、７４の外側には、それぞれ、押込み部材８をカバー９に対して上下にスライド可能に取り付けるためのスライド突起８７、８７が突設されている。スライド突起８７は、断面Ｔ字状に形成され、カバー９の内側に設けた一対のスライドレール９４、９４（図７および図８参照）に係合される。スライドレール９４の下端はスライド突起８７を挿通するため開放されている。押込み部材８を図７に示す未使用状態に配置した状態で、スライド突起８７の上端部８７ａがスライドレールの端部に当接し、押込み部材８がそれ以上上方に移動しないようになっている。
【００３０】
また、収容部８２の側壁部７４、７４の外側には、それぞれ、押込み部材８を図７に示す未使用状態に配置した状態で、カバー９の係合爪９５、９５に係合する係合突起８８、８８が突設されている。係合突起８８、８８は、スライド突起８７の上方に離間して設けられている。押込み部材８の係合突起８８、８８をカバー９の係合爪９５、９５に係合した状態で、押込み部材８が図７に示す未使用状態に係止される。この状態で、押込み部材８が中栓４の上方に離間している。
【００３１】
さらに、収容部８２の底壁部７２の下面側には、径方向に離間した一対の保持爪８９、８９が下方に突設されている。保持爪８９、８９は、押込み部材８を図８および図９に示す使用状態に押し込んだとき、中栓４の折返し部４３の下端縁に係合し、この位置に押込み部材８を係止するよう機能する。つまり、押込み部材８の押圧部８３を押し込んで、押込み部材８を使用状態に配置すると、押込み部材８がこの位置に保持されて未使用状態に戻ることができない構造になっている。
【００３２】
中栓４の折返し部４３の外面４３ｂは、上述したように、下方に向けて外側に拡がる方向に傾斜している。このため、押込み部材８を押し込んだとき、保持爪８９が外面４３ｂによって押されて外側に湾曲するように弾性変形する。そして、保持爪８９が外面４３ｂを超えた後、保持爪８９が元の形状に復元され、折返し部４３の下端縁に係合する。このため、押込み部材８を使用状態に押し込むと、ユーザーが一対の保持爪８９、８９を外側に広げて係合を解除しない限り未使用状態に戻すことができない。なお、ユーザーが押込み部材８を押し込んで使用状態に配置したことは、これら保持爪８９が折返し部４３の下端縁に係合する際の係合音により認識することができ、押込み部材８を使用状態に押し込んだことの動作確認ができる。
【００３３】
押圧部８３は、ユーザーによって押圧される上面が湾曲して下方に向けて中央が凹んだ形状に形成されている。押圧部８３は、図１に示す未使用状態で、カバー９の上端開口部９２から一部が突出している。押圧部８３が上端開口部９２から突出していることにより、ユーザーが押圧部８３を認識し易く、押圧部８３を深く押し込み易い。なお、図１に示すように、押圧部８３とカバー９の上端開口部９２との間には、僅かな隙間９６が設けられている。言い換えると、押圧部８３の外周縁が一部凹ませてあり、上端開口部９２との間に隙間９６が形成されている。この隙間９６は、薬液を揮散させるための揮散孔として機能する。
【００３４】
以下、上述した揮散装置１０の組み立て手順について説明する。  
第１に、薬液を収容した容器２の開口２４から中栓４の筒状体４１を挿入し、筒状体４１の下端４１ａを薬液中に没入する。そして、中栓４の折返し部４３の嵌合凹部４８に容器２の首部２２の凸条２５を嵌合し、中栓４を容器２の首部２２に固定する。この状態で、容器２が中栓４によって密閉される。また、この状態（図７の状態）で、中栓４の蓋体４２が膨出した側の頂部と容器２の底との間には、蓋体４２が開いた際に容器２の底に接触しない程度の隙間（図９参照）が設けられている。この隙間は必ずしも蓋体４２を全開にできる大きさで設ける必要はなく、少なくとも、蓋体４２を開いた使用状態（図８および図９に示す状態）で吸液部材６の吸い上げ部分６１の下端６１ａが容器２の底に接触することができればよい。
【００３５】
第２に、押込み部材８に吸液部材６を装着する。このとき、まず、押込み部材８の前方から凹所７１の底にある開口部７２ａ内に吸液部材６の吸い上げ部分６１の下端６１ａを挿入し、吸い上げ部分６１を押込み部材８の押込み筒８１内に押し込む。このとき、凹所７１の背面側にあるガイド面７１ａに吸い上げ部分６１の下端６１ａが押し付けられ、ガイド面７１ａに沿って下端６１ａが開口部７２ａに向けて案内される。そして、吸い上げ部分６１を押込み筒８１内に挿入した後、揮散部分６２を凹所７１内に収容配置する。
【００３６】
第３に、上記のように吸液部材６を保持した押込み部材８をカバー９の内側に取り付ける。このとき、押圧部８３を先頭にしてカバー９の下端縁９１側から押込み部材８を挿入し、カバー９の内部にある一対のスライドレール９４に押込み部材８の一対のスライド突起８７を挿通する。同時に、押込み部材８の押圧部８３をカバー９の上端開口部９２に挿入する。そして、押込み部材８の一対の係合突起８８、８８にカバー９の一対の係合爪９５、９５が係合するまで、押込み部材８をカバー９の内側に押し込む。この状態で押込み部材８がカバー９に係合され、カバー９の下端側から脱落する心配がない。
【００３７】
上述した第１の手順は、上述した第２、第３の手順とは別になされるものであり、第２、第３の手順と平行して、或いは第２、第３の手順より後にしてもよい。
【００３８】
最後に、カバー９と一体にされた押込み部材８の押込み筒８１を、容器２に固定した中栓４の筒状体４１内に挿通し、カバー９の下端縁９１を容器２の段部２６に嵌め込む。これにより、揮散装置１０の組み立てが完了する。この状態で、押込み部材８の押込み筒８１の下端８１ａから突出した吸液部材６の吸い上げ部分６１の下端６１ａが、中栓４の蓋体４２の内面に当接した状態となり、押込み筒８１の下端８１ａ、すなわち破封爪８４の先端が蓋体４２のフランジ部４５から上方に僅かに離間した状態となる。
【００３９】
上記のように組み立てた揮散装置１０を未使用状態から使用状態にする場合、ユーザーは、カバー９の上端開口部９２内にあって一部が上端開口部９２から突出した状態にある押込み部材８の押圧部８３を下方に押圧して上端開口部９２内に押し込む。これにより、押込み部材８は、図７に示す状態から図８に示す状態に移動され、図９に示すように、中栓４の蓋体４２が破封され、揮散装置１０の使用が開始される。
【００４０】
このとき、まず、押込み部材８の一対の係合突起８８がカバー９の対応する係合爪９５から外れ、押込み部材８の一対の保持爪８９が中栓４の折返し部４３に接触し、押込み部材８の破封爪８４の先端が中栓４の蓋体４２のフランジ部４５に当接する。保持爪８９が折返し部４３に接触するタイミングと破封爪８４がフランジ部４５に当接するタイミングは略同じであるが、接触するタイミングを少しずらすように、保持爪８９の長さなどを調節してもよい。破封爪８４の先端が中栓４のフランジ部４５に向けて移動するとき、筒状体４１の肉厚部４４の内面に破封爪８４の先端が接触しつつ下方に移動し、フランジ部４５に向けて破封爪８４の先端が案内される。
【００４１】
この状態から押込み部材８の押圧部８３をさらに押し込むと、一対の保持爪８９が折返し部４３の外面４３ｂに摺接しながら弾性変形して外側に広がり、折返し部４３を乗り越えた後、元の形に戻って折返し部４３の下端縁に係合する。同時に、破封爪８４の先端が、フランジ部４５を押し、破封爪８４が押し付けられた部位から蓋体４２が開かれ始める。このとき、上述したように蓋体４２の内面に当接した状態の吸液部材６の吸い上げ部分６１が蓋体４２を内側から押し、蓋体４２を開く力を補助する。
【００４２】
押込み部材８がその移動可能範囲における最下端まで押し込まれて一対の保持爪８９が折返し部４３の下端縁に係合すると、図９に示すように、蓋体４２が略９０°下方に回動した状態に開かれ、破封爪８４より下方に突出した吸い上げ部分６１の下端６１ａが容器２の底に接触する。吸液部材６は不織布などにより形成されているため、薬液を吸収すると膨張し、吸い上げ部分６１の長さもわずかに長くなる。このため、吸い上げ部分６１の長さは、図８および図９に示す使用状態に配置した際に、薬液を吸収した吸い上げ部分６１の下端６１ａが容器２の底に接触する程度の長さに設定すればよい。
【００４３】
本実施形態によると、中栓４の下端に設けた蓋体４２を略半球状にして筒状体４１の下端から下方に膨出させたため、押込み部材８の破封爪８４の先端８１ａが蓋体４２のフランジ部４５を押圧する位置より吸液部材６の吸い上げ部分６１の下端６１ａを下方に配置することができ、蓋体４２を開いた状態で、破封爪８４より吸い上げ部分６１の下端６１ａを飛び出させることができる。このため、突き刺しによる開封を可能としつつ吸液部材６の下端６１ａを容器２の底に当接させることができる。
【００４４】
なお、本実施形態では、筒状体４１の下端４１ａから突出した吸い上げ部材６１の下端６１ａと容器２の底との間に、破封した蓋体４２が挟まることのないように、蓋体４２を筒状体４１から分離しないことに加えて、開いた蓋体４２を図９に示す開状態に係止するようにした。つまり、押込み部材８が最下端まで押し込まれる直前に、押込み部材８の下端にある蓋係止部８５を筒状体４１の下端４１ａより下方に突出せしめて、蓋体４２の縁を支えるようにした。これにより、吸液部材６の吸い上げ部分６１の下端６１ａと容器２の底との間に蓋体４２が挟まれる不具合を防止することができ、容器２の底に残った薬液を吸い上げて揮散させることができる。
【００４５】
また、本実施形態のように、蓋体４２を略半球状にすることで、蓋体４２を筒状体４１の下端に一部をつなげたまま下方に回動させたとき、蓋体４２の回動の先端が描く円弧状の軌跡を小さくすることができ、蓋体４２と容器２の底までの距離を最小にとどめることができる。これに対し、例えば、蓋体４２を円筒状にした場合、同じ半径の円筒では、半球状の蓋体４２と比較して回動の先端が描く軌跡が大きくなってしまう。例えば、本実施形態のように蓋体４２を略半球状にすることで、中栓４の筒状体４１を少し長くすることもでき、設計の自由度を高めることができる。
【００４６】
また、押込み部材８の押込み筒８１を中栓４の筒状体４１内に挿通して押し込む際に、押込み筒８１の外周面を肉厚部４４の内面に摺接させた状態でスライドさせるため、図８および図９に示すように、押込み部材８を使用状態に押し込んだ状態で、押込み筒８１の外周面と筒状体４１の内周面（肉厚部４４の内面）が密着されてシールされる。これにより、押込み筒８１の外周面と筒状体４１の内面との間の隙間に薬液が侵入することを防止でき、この隙間を介して薬液が漏れる不具合を防止することができる。
【００４７】
以上のように、第１の実施形態によると、筒状の破封爪８４によって蓋体４２のフランジ部４５を押すことによって蓋体４２を筒状体４１の下端４１ａから徐々に分離させ、押込み筒８１内に挿通した吸液部材６の吸い上げ部分６１の下端６１ａを破封爪８４より突出させたため、蓋体４２を開いた状態で吸い上げ部分６１の下端６１ａを容器２の底に接触させることができ、容器２内の底に残った薬液を吸い上げて揮散させることができ、薬液の無駄を無くすことができる。
【００４８】
また、本実施形態によると、揮散装置１０の使用を開始する際に、従来のように、一旦カバー９を開けて容器２を破封し、吸液部材６を薬液に浸漬させた後、カバー９を元に戻すといった面倒な作業が不要となり、押込み部材８の押圧部８３を「カチッ」と音がするまで押し込むだけの簡単な操作によって使用を開始することができ、利便性を向上させることができる。
【００４９】
次に、図１０および図１１を参照して、第２の実施形態に係る揮散装置１１０について説明する。図１０は、未使用状態の揮散装置１１０の縦断面図であり、図１１は、使用状態の揮散装置１１０の縦断面図である。ここでは、上述した第１の実施形態の揮散装置１０と同様に機能する構成要素に同一符号を付してその詳細な説明を省略し、第１の実施形態の揮散装置１０と異なる構成についてのみ説明する。揮散装置１１０の組み立て手順についても、第１の実施形態の揮散装置１０と同じであるため、その説明を省略する。
【００５０】
本実施形態の揮散装置１１０は、押込み部材８の押圧部８３’を比較的薄い平らな板状体により形成し、その分、吸液部材６の揮散部分６２’を収容する凹所７１をカバー９の上端近くに配置した。これにより、揮散装置１１０の全長に対する吸い上げ部分６１’の長さの比率を高めており、容器２’の軸方向の高さ（すなわち容量）を増大させている。また、本実施形態では、吸液部材６が押込み部材８に対して上下にスライド可能に保持されている。
【００５１】
つまり、揮散部分６２’の上下方向のサイズは、凹所７１の上下方向のサイズより小さい。言い換えると、図１０に示す未使用状態において、揮散部分６２’と凹所７１の底壁部７２との間に空間が形成されている。このため、押込み部材８を図１０の未使用状態から図１１の使用状態に押し込んだとき、すなわち蓋体４２’が開いたとき、吸液部材６が自重により落下し、吸い上げ部分６１’の下端６１ａが容器２の底に接触するようになっている。言い換えると、図１０の未使用状態では、吸液部材６の吸い上げ部分６１’の下端６１ａが、筒状体４１の下端を密閉している蓋体４２’の内面に当接して支えられている。
【００５２】
また、本実施形態では、押込み部材８を押し込んだときに、保持爪８９を容器２の首部２２の外周に設けた円環状のリブ２７に係合させるようにした。これにより、第１の実施形態のように押込み部材８を中栓４に係合させるのではなく、容器２に対して直接係合させることができ、中栓４の状態にかかわらず押込み部材８を使用状態に確実に保持せしめることができる。
【００５３】
以上のように、第２の実施形態によると、押込み部材８を押し込んで蓋体４２’を開けたとき、吸液部材６を自重により落下させて吸い上げ部分６１’の下端６１ａを容器２の底に接触させるようにしたため、吸液部材６の揮散部分６２を小さくすることができ、揮散装置１０の組み立て時に吸液部材６を押込み部材８に装着しやすくすることができ、揮散装置１１０の製造コストを低減することができる。また、このような簡単な構成を採用した上で、吸液部材６の吸い上げ部分６１’の下端６１ａを常に同じ圧力で容器２の底に当接させることができ、信頼性を高めることができる。本実施形態においても、上述した第１の実施形態と同様の効果を奏することができることは言うまでもない。
【００５４】
図１２は、上述した第１の実施形態の揮散装置１０の変形例である揮散装置２００を示す縦断面図である。ここでも、上述した第１の実施形態と同様に機能する構成要素には同一符号を付してその詳細な説明を省略し、第１の実施形態と異なる構成要素についてのみ説明する。
【００５５】
この揮散装置２００によると、吸液部材６を移動不能に保持した押込み部材８’が、スライド突起８７や係合突起８８を備えておらず、代わりに一対の係合爪２０１、２０１を備えている。係合爪２０１、２０１は、それぞれ、収容部８２の側壁部７４、７４の外側から上方に向けて湾曲して突設されており、押込み部材８’の径方向の反対側に離間対向して設けられている。
【００５６】
一方、カバー９は、上端開口部９２の縁に一対の係合突起２０２、２０２を備えている。係合突起２０２、２０２は、押込み部材８’の係合爪２０１、２０１に対応して設けられており、押込み部材８’をカバー９の上端開口部９２から挿通して装着するとき、係合爪２０１、２０１をそれぞれ係合せしめるようになっている。
【００５７】
このため、この変形例によると、押込み部材８’をカバー９の上端開口部９２を介して挿通して取り付けることができ、揮散装置２００の組み立てを容易にできる。なお、この変形例の構造は、第２の実施形態の揮散装置１１０に適用することもできる。
【００５８】
以上、いくつかの実施形態に基づいて本発明を説明したが、本発明は、上述した実施形態に限定されるものではなく、本発明の要旨の範囲内で種々の変形や応用が可能なことは勿論である。
【符号の説明】
【００５９】
２…容器、  ４…中栓、  ６…吸液部材、  ８…押込み部材、  ９…カバー、  １０…揮散装置、  ２２…首部、  ２４…開口、  ２６…段部、  ４１…筒状体、  ４２…蓋体、  ４３…折返し部、  ４３ｂ…外面、  ４４…肉厚部、  ４５…フランジ部、  ４６…肉薄部、  ４７…膨出部、  ６１…吸い上げ部分、  ６１ａ…下端、  ６２…揮散部分、  ７１…凹所、  ７１ａ…ガイド面、  ７２ａ…開口部、  ８１…押込み筒、  ８１ａ…下端、  ８２…収容部、  ８３…押圧部、  ８４…破封爪、  ８５…蓋係止部、  ９１…下端縁、  ９２…上端開口部、  ９３…揮散孔、  １１０、２００…揮散装置。
【図１】
2018110616.tif 000003
【図２】
2018110616.tif 000004
【図３】
2018110616.tif 000005
【図４】
2018110616.tif 000006
【図５】
2018110616.tif 000007
【図６】
2018110616.tif 000008
【図７】
2018110616.tif 000009
【図８】
2018110616.tif 000010
【図９】
2018110616.tif 000011
【図１０】
2018110616.tif 000012
【図１１】
2018110616.tif 000013
【図１２】
2018110616.tif 000014